(57)【要約】  本発明は、着用者の胸を支持し、及び／又は着用者の胸に谷間を作り、種々の露出度の高い外衣と共に着用してもその構成要素が見えないバックレスでストラップレスのブラジャーを提供する。本発明に係るバックレスでストラップレスのブラジャーの１つの態様では、着用者の胸の正面を支持するための少なくとも１つのカップ部材と、着用者の胸の下面を支持するための少なくとも１つの支持部材を備えており、各カップ部材は、支持部材及び他のどのカップ部材ともつながっていない。【選択図】  図４Ｈ
2007505233.tif 000002
【特許請求の範囲】
【請求項１】
着用者の胸の正面を支持するための少なくとも１つのカップ部材と、
着用者の胸の下面を支持するための少なくとも１つの支持部材と、を備えたバックレスでストラップレスのブラジャーであって、
各カップ部材は、支持部材及び他のカップ部材のいずれにもつながっていない、バックレスでストラップレスのブラジャー。
【請求項２】
前記カップ部材の形状が、円形、長円形、目の形、半円形、半長円形、部分半円形、部分半長円形、楕円形からなる群から選択される、請求項１記載のブラジャー。
【請求項３】
前記支持部材が、着用者の胸の下面に位置する細長い部材である、請求項１記載のブラジャー。
【請求項４】
前記支持部材の少なくとも１つの端部が丸みを帯びている、請求項１記載のブラジャー。
【請求項５】
第１の支持部材と第２の支持部材が着用者の胸の下面に位置し、第２の支持部材が第１の支持部材よりも着用者の身体の近位に位置する、請求項１記載のブラジャー。
【請求項６】
前記第１の支持部材と前記第２の支持部材の少なくとも一方の少なくとも１つの端部が丸みを帯びている、請求項５記載のブラジャー。
【請求項７】
前記カップ部材と前記支持部材の少なくとも一方の材料が布とシリコーンの少なくとも一方を含む、請求項１記載のブラジャー。
【請求項８】
前記布がトリコートである、請求項７記載のブラジャー。
【請求項９】
前記カップ部材と前記支持部材の少なくとも一方を着用者の胸に固定するための接着剤をさらに備える、請求項１記載のブラジャー。
【請求項１０】
前記接着剤が加圧式である、請求項９記載のブラジャー。
【請求項１１】
前記接着剤が前記カップ部材と前記支持部材の少なくとも一方の一部に施される、請求項９記載のブラジャー。
【請求項１２】
前記カップ部材が少なくとも１つのアンダーワイヤーを含む、請求項１記載のブラジャー。
【請求項１３】
前記カップ部材にパッドが入っている、請求項１記載のブラジャー。
【請求項１４】
少なくとも１つの支持タブをさらに備える、請求項１記載のブラジャー。
【請求項１５】
前記少なくとも１つの支持タブが前記カップ部材に装着される、請求項１４記載のブラジャー。
【請求項１６】
着用者の胸の正面を支持するためのカップ部材のセットと、
着用者の胸の下面を支持するための支持部材のセットと、
支持部材を、カップ部材及び第２の支持部材の少なくとも一方につなげる少なくとも１つのメッシュ部材と、を備えるバックレスでストラップレスのブラジャーであって、
各カップ部材が他のどのカップ部材ともつながっていない、バックレスでストラップレスのブラジャー。
【請求項１７】
前記カップ部材の形状が、円形、長円形、目の形、半円形、半長円形、部分半円形、部分半長円形、楕円形からなる群から選択される、請求項１６記載のブラジャー。
【請求項１８】
前記支持部材が、着用者の胸の下面に位置する細長い部材である、請求項１６記載のブラジャー。
【請求項１９】
前記支持部材の少なくとも１つの端部が丸みを帯びている、請求項１６記載のブラジャー。
【請求項２０】
第１の支持部材と第２の支持部材が着用者の胸の下面に位置し、第２の支持部材が第１の支持部材よりも着用者の身体の近位に位置する、請求項１６記載のブラジャー。
【請求項２１】
前記第１の支持部材と前記第２の支持部材の少なくとも一方の少なくとも１つの端部が丸みを帯びている、請求項２０記載のブラジャー。
【請求項２２】
前記メッシュ部材の材料が布とシリコーンの少なくとも一方を含む、請求項１６記載のブラジャー。
【請求項２３】
前記布がトリコートである、請求項２２記載のブラジャー。
【請求項２４】
少なくとも１つの支持タブをさらに備える、請求項１６記載のブラジャー。
【請求項２５】
前記少なくとも１つの支持タブが前記カップ部材に装着される、請求項２４記載のブラジャー。
【請求項２６】
前記支持タブの材料が布とシリコーンの少なくとも一方を含む、請求項２４記載のブラジャー。
【請求項２７】
前記カップ部材が少なくとも１つのアンダーワイヤーを含む、請求項１６記載のブラジャー。
【請求項２８】
前記カップ部材にパッドが入っている、請求項１６記載のブラジャー。
【請求項２９】
前記メッシュ部材の材料が布とシリコーンの少なくとも一方を含む、請求項１６記載のブラジャー。
【請求項３０】
前記布がトリコートである、請求項２９記載のブラジャー。
【請求項３１】
カップ部材と支持部材の少なくとも一方を着用者の胸に固定するための接着剤をさらに備える、請求項１６記載のブラジャー。
【請求項３２】
前記接着剤が加圧式である、請求項３１記載のブラジャー。
【請求項３３】
着用者の胸の正面を支持するための少なくとも１つのカップ部材と、
着用者の胸の下面を支持するための少なくとも１つの支持部材と、を備えるバックレスでストラップレスのブラジャーであって、
前記少なくとも１つのカップ部材と前記少なくとも１つの支持部材が、前記カップ部材と前記支持部材を着用者の胸に固定するのに十分な接着力を備える、
バックレスでストラップレスのブラジャー。
【請求項３４】
前記カップ部材と前記支持部材の少なくとも一方の材料がシリコーンである、請求項３３記載のブラジャー。
【請求項３５】
支持部材を、カップ部材と第２の支持部材の少なくとも一方につなげるメッシュ部材をさらに備える、請求項３３記載のブラジャー。
【請求項３６】
少なくとも１つのタブ支持体をさらに備える、請求項３３記載のブラジャー。
【請求項３７】
着用者の胸それぞれの正面を支持するための１対のカップ部材と、
着用者の胸それぞれの下面を支持するための少なくとも２つの支持部材と、を備えるバックレスでストラップレスのブラジャーであって、
第１のカップ部材が第２のカップ部材とつながっていない、バックレスでストラップレスのブラジャー。
【請求項３８】
各カップ部材の形状が、円形、長円形、目の形、半円形、半長円形、部分半円形、部分半長円形、楕円形からなる群から選択される、請求項３７記載のブラジャー。
【請求項３９】
少なくとも１つの支持部材が、着用者の胸の下面に位置する細長い部材である、請求項３７記載のブラジャー。
【請求項４０】
少なくとも１つの支持部材の少なくとも１つの端部が丸みを帯びている、請求項３７記載のブラジャー。
【請求項４１】
前記カップ部材と前記支持部材の少なくとも１つを着用者の胸に固定するための接着剤をさらに備える、請求項３７記載のブラジャー。
【請求項４２】
前記接着剤が加圧式である、請求項４１記載のブラジャー。
【請求項４３】
前記接着剤がカップ部材と支持部材の少なくとも一方の一部に施される、請求項４１記載のブラジャー。
【請求項４４】
カップ部材と支持部材の少なくとも一方の材料が布とシリコーンの少なくとも一方を含む、請求項３７記載のブラジャー。
【請求項４５】
前記布がトリコートである、請求項４４記載のブラジャー。
【請求項４６】
少なくとも１つのカップ部材が少なくとも１つのアンダーワイヤーを含む、請求項３７記載のブラジャー。
【請求項４７】
少なくとも１つのカップ部材にパッドが入っている、請求項３７記載のブラジャー。
【請求項４８】
少なくとも１つの支持タブをさらに備える、請求項３７記載のブラジャー。
【請求項４９】
前記少なくとも１つの支持タブがカップ部材に装着される、請求項４８記載のブラジャー。
【請求項５０】
前記支持タブの材料が布とシリコーンの少なくとも一方を含む、請求項４８記載のブラジャー。
【請求項５１】
支持部材を、カップ部材と第２の支持部材の少なくとも一方につなげる少なくとも１つのメッシュ部材をさらに備える、請求項３７記載のブラジャー。
【請求項５２】
前記メッシュ部材の材料が布とシリコーンの少なくとも一方を含む、請求項５１記載のブラジャー。
【請求項５３】
前記布がトリコートである、請求項５２記載のブラジャー。
【発明の詳細な説明】
【関連出願の相互参照】
【０００１】
本出願は、２００３年９月１１日に出願された同時係属中の米国仮出願番号第６０／５０２，０１４号、２００３年１０月１６日に出願された同第６０／５１１，８８０号、そして２００４年４月７日に出願された同時係属中の米国意匠特許出願番号第２９／２０２，９３５号の利益を主張し、これら全ては参照として本明細書中に取り込まれるものである。
【発明の背景】
【０００２】
（１）技術分野
本発明は一般に下着の分野に関し、より具体的には、バックレスでストラップレスのマルチピースブラジャーに関する。
【０００３】
（２）関連技術
昔から、ブラジャーは着用者の胸を支持するために使われてきた。しかしながら典型的なブラジャーは、バックレス又はショルダーレスの外衣と一緒に着用した場合に、ストラップを含む種々のパーツが見えてしまうため好ましくない。そのため、こういった外衣と共に使用するために、種々のバックレス及び／又はストラップレスブラジャーが開発されてきた。
【０００４】
例えば、チェン（Ｃｈｅｎ）らによる米国特許第６，７８０，０８１号は、接着剤によって着用者の胸に保持されるカップを有するバックレスでストラップレスのブラジャーについて記載している。しかしながらチェンらの特許のデバイスは、使用者の胸に谷間を作る目的で、ブラジャーのカップの間にコネクタを利用している。そのためこのデバイスは、コネクタともしかしたらデバイスのカップも見えてしまうかもしれないため、胸元が大きく開いた外衣と共に着用できない。さらにこのデバイスは、着用者の胸の下面をほとんど支持しない。
【０００５】
したがって、バックレス且つストラップレスで、着用者の胸を支持し、且つ／又は着用者の胸に谷間を作りつつ、種々の露出度の高い外衣と共に使用できるブラジャーに対するニーズが存在する。
【発明の概要】
【０００６】
本発明のデバイスは、着用者の胸を支持し、且つ／又は着用者の胸に谷間を作り、種々の露出度の高い外衣と共に着用してもその構成要素が見えないバックレスでストラップレスのブラジャーを提供する。本発明の第１の態様は、着用者の胸の正面を支持するための少なくとも１つのカップ部材と着用者の胸の下面を支持するための少なくとも１つの支持部材を備えるバックレスでストラップレスのブラジャーであり、各カップ部材は、支持部材及び他のカップ部材のどれともつながっていない。
【０００７】
本発明の第２の態様は、着用者の胸の正面を支持するためのカップ部材のセットと、着用者の胸の下面を支持するための支持部材のセットと、カップ部材と第２の支持部材の少なくとも一方に支持部材をつなげる少なくとも１つのメッシュ部材を備えるバックレスでストラップレスのブラジャーであり、各カップ部材は他のどのカップ部材ともつながっていない。
【０００８】
本発明の第３の態様は、着用者の胸の正面を支持するための少なくとも１つのカップ部材と、着用者の胸の下面を支持するための少なくとも１つの支持部材を備えるバックレスでストラップレスのブラジャーであり、少なくとも１つのカップ部材と少なくとも１つの支持部材は、カップ部材と支持部材を着用者の胸に固定する十分な接着力を備える。
【０００９】
本発明の第４の態様は、着用者の胸それぞれの正面を支持するための１対のカップ部材と、着用者の胸それぞれの下面を支持するための少なくとも２つの支持部材を備えるバックレスでストラップレスのブラジャーであり、第１のカップ部材は第２のカップ部材とつながっていない。
【００１０】
本発明の上述の特徴や他の特徴は、本発明の実施形態の以下のより詳細な記述から明らかになるであろう。
【００１１】
本発明の実施形態を以下の図面を参照して詳細に説明する。図面において、同一の記号は同一の要素を示す。
【発明の詳細な記述】
【００１２】
図１Ａ−Ｂを参照すると、本発明の第１の実施形態を説明する。図１Ａは、円形のカップ部材１０と支持部材２０を備えるデバイス１の正面図を示す。支持部材２０は、角を有する端部２０ａ、２０ｂを有する細長い部材として示されている。２０ａ、２０ｂの一端又は両端は同様に円形で丸みを帯びていてもよい。カップ部材１０と支持部材２０はそれぞれ、例えば布やシリコーンを含む多数の材料のうちの１つ又はそれより多くから作られることができる。布材料の一例は、アメリカ合衆国カリフォルニア州のチャッツワースにあるＭＢＫエンタープライズ社から入手可能なトリコート（ｔｒｉｃｏｔｅ）である。任意で、カップ部材１０、支持部材２０又はこれらの両方は、伸縮可能なフォーム材料から作られてもよい。さらにカップ部材１０は、例えばより大きな胸に見せるためのパッド等、ブラジャーの製造で共通する種々のデバイスを含むことができる。
【００１３】
図１Ｂは、着用者に装着したときのデバイス１の正面図を示す。支持部材２０は着用者の胸の下面に沿って位置し、その一方で、カップ部材１０は胸の正面に沿って配置される。カップ部材１０と支持部材２０は両方とも装着前はほぼ平坦であるが、装着時にはそれぞれ着用者の胸の形状にならう。示されるように、カップ部材１０は装着されると、部分的に又は完全に支持部材２０を覆う。
【００１４】
図１Ｃは、カップ部材１０と支持部材２０をつなげる任意のメッシュ部材４０を有するデバイス１を示す。このメッシュ部材４０は、カップ部材１０や支持部材２０と同じ材料から作られてもよいし、異なる材料から作られてもよい。
【００１５】
図１Ｄは、第１の支持部材２０とこの第１の支持部材の下に位置する第２の支持部材２２を有するデバイス１を示し、各支持部材はカップ部材１０の下に位置する。第１の支持部材と第２の支持部材は同じ材料から作られてもよいし、異なる材料から作られてもよい。
【００１６】
図１Ｅは、第１の支持部材２０と第２の支持部材２２それぞれにおいて任意で丸みを帯びた端部２０ａ、２０ｂ、２２ａ、２２ｂを有する図１Ｄのデバイス１を示す。第１の支持部材２０と第２の支持部材２２の各端部は丸みを帯びた形状で示されているが、いずれかの支持部材又は両方の支持部材の一端が丸みを帯びていて、他端が角ばっているものも本発明の範囲内であることを理解されたい。
【００１７】
図１Ｆは、着用者の胸に配置されたときのデバイス１の側面図を示す。カップ部材１０と支持部材２０は、カップ部材１０と支持部材２０それぞれの内面に沿う接着剤３０によって着用者の胸に固定されている。接着剤３０はカップ部材１０と支持部材２０の片方又は両方に設けられていてもよいし、デバイス１の装着前に着用者によってそれぞれの内面に施されてもよい。接着剤３０は、カップ部材１０と支持部材２０の１つ又は複数の部分、或いは、内面全体を覆うようにしてもよい。接着剤３０として使用するのに適した物質として、着用者の皮膚に対して毒性や刺激がなく、皮膚感受性を有し、加圧式で低アレルギー性のアクリル酸系接着剤が挙げられる。このような接着剤は、例えばアメリカ合衆国ミネソタ州のセントポールにある３Ｍ社から入手できる。
【００１８】
特に好適な実施形態では、接着剤３０は、接触によって接着性又は粘着性が生じる特性を有するシリコーンの層である。このような材料は着用者の胸に対して十分な接着力をもたらすため、カップ部材１０と支持部材２０は定位置に保持されて着用者の胸を十分に支持するが、着用者の皮膚に不快感を与えずに簡単に取り外すことができる。カップ部材１０、支持部材２０又はこの両方は任意でこのようなシリコーンから形成されてもよく、そうすることで接着剤３０の層を別に設ける必要がなくなる。
【００１９】
支持部材２０は胸の下面にほぼ沿って配置される細長い部材で、典型的なブラジャーのアンダーワイヤーの場合と同じように、方向Ａの支持をもたらす。カップ部材１０は胸の正面を覆うように配置され、方向Ｂの支持をもたらし、胸を着用者の体に対して保持する。任意で、メッシュ部材４０によって、カップ部材１０と支持部材２０をつなげることができる。メッシュ部材４０の内面には接着剤３０がないことが好ましい。したがってメッシュ部材４０は胸を付加的に支持しつつ、カップ部材１０と支持部材２０の独立した移動を可能にしている。
【００２０】
図１Ｇは、着用者の胸に配置されたときのデバイス１の側面図を示す。第１の支持部材２０は、第１のメッシュ部材４０と第２のメッシュ部材４２のそれぞれによってカップ部材１０と第２の支持部材２２につながっている。このような実施形態は、例えば着用者が胸の下面のさらなる支持を必要としている場合に有用である。図１Ｆのように、接着剤３０をカップ部材１０、第１の支持部材２０、第２の支持部材２２の一部又は内面全体に施すことができる。
【００２１】
図１Ｈは、カップ部材１０が支持部材２０を被覆するように装着されているデバイス１の側面図を示す。図１Ｆ−Ｇのように、接着剤３０をカップ部材１０と支持部材２０の一部又は内面全体に施すことができる。
【００２２】
図１Ｉは、着用者（仮想線で示す）に装着したときのデバイス１の部分分解側面図を示す。着用者の胸それぞれに１つずつで２つのカップ部材１０Ｌ、１０Ｒが設けられている。着用者の右胸に装着される前の右側カップ部材１０Ｒと右側支持部材２０Ｒが示されている。右側支持部材２０Ｒは着用者の右胸の下面に装着され、右側カップ部材１０Ｒは着用者の右胸の正面に装着される。左側カップ部材１０Ｌが着用者の左胸に装着されている状態が示されている。装着されると、左側カップ部材１０Ｌは左側支持部材（図示せず）を被覆し、左側支持部材は着用者の左胸の下面に装着されている。当然ながら、左側カップ部材１０Ｌ又はあらゆる他のカップ部材が、例えば着用者の胸のサイズ及び／又はカップ部材と支持部材の特定の装着位置に応じて同様に支持部材の一部のみを被覆してもよいし、支持部材を被覆しなくてもよいことを理解されたい。
【００２３】
図１Ａ−Ｉはほぼ円形のカップ部材１０を示しているが、他の形状も可能で本発明の範囲内である。このような形状としては、例えば半円、部分半円、長円（ｏｖａｌｓ）、半長円、部分半長円、目の形、そして楕円（ｅｌｌｉｐｓｅｓ）が挙げられる。図２Ａ−Ｆ、３Ａ−Ｆ、４Ａ−Ｈ、５Ａ−Ｇを参照して、例示的な実施形態を以下に説明する。
【００２４】
図２Ａ−Ｆを参照すると、カップ部材１１０が長円形のデバイス１００の種々の実施形態が示されている。図２Ａは長円形カップ部材１１０と支持部材１２０を備えるデバイス１００の正面図を示す。カップ部材１１０と支持部材１２０はそれぞれ、例えば布やシリコーンを含む多数の材料のうちの１つ又はそれより多くから作られることができる。
【００２５】
図２Ｂは、着用者に装着されたときのデバイス１００の正面図を示す。支持部材１２０は着用者の胸の下面に沿って位置し、その一方でカップ部材１１０は胸の正面に沿って配置される。カップ部材１１０と支持部材１２０は両方とも装着前はほぼ平坦であるが、装着時にはそれぞれ着用者の胸の形状にならう。示されるように、カップ部材１１０は装着されると支持部材１２０を部分的に又は完全に被覆することができる。
【００２６】
図２Ｃは、カップ部材１１０と支持部材１２０をつなぐ任意のメッシュ部材１４０を有するデバイス１００を示す。メッシュ部材１４０は、カップ部材１１０や支持部材１２０と同じ材料から作られてもよいし、異なる材料から作られてもよい。
【００２７】
図２Ｄは、第１の支持部材１２０とこの第１の支持部材の下に位置する第２の支持部材１２２を有するデバイス１００を示し、各支持部材はカップ部材１１０の下に位置する。第１の支持部材と第２の支持部材は同じ材料から作られてもよいし、異なる材料から作られてもよい。
【００２８】
図２Ｅは、第１の支持部材１２０と第２の支持部材１２２それぞれにおいて任意で丸みを帯びた端部１２０ａ、１２０ｂ、１２２ａ、１２２ｂを有する図２Ｄのデバイス１００を示す。第１の支持部材１２０と第２の支持部材１２２の各端部は丸みを帯びた形状で示されているが、いずれかの支持部材又は両方の支持部材の一端が丸みを帯びていて他端が角ばっているものも本発明の範囲内であることを理解されたい。
【００２９】
図２Ｆは、着用者（仮想線で示す）に装着したときのデバイス１００の部分分解側面図を示す。着用者の胸それぞれに１つずつで２つのカップ部材１１０Ｌ、１１０Ｒが設けられている。着用者の右胸に装着される前の右側カップ部材１１０Ｒと右側支持部材１２０Ｒが示されている。右側支持部材１２０Ｒは着用者の右胸の下面に装着され、右側カップ部材１１０Ｒは着用者の右胸の正面に装着される。左側カップ部材１１０Ｌが着用者の左胸に装着されている状態が示されている。装着されると、左側カップ部材１１０Ｌは左側支持部材（図示せず）を被覆し、左側支持部材は着用者の左胸の下面に装着されている。当然ながら、左側カップ部材１１０Ｌ又はあらゆる他のカップ部材が、例えば着用者の胸のサイズ及び／又はカップ部材と支持部材の特定の装着位置に応じて同様に支持部材の一部のみを被覆してもよいし、支持部材を被覆しなくてもよいことを理解されたい。
【００３０】
図３Ａ−Ｆを参照すると、カップ部材２１０が誇張した長円又は目の形のデバイス２００の種々の実施形態が示されている。図３Ａは、目の形のカップ部材２１０と支持部材２２０を備えるデバイス２００の正面図を示す。カップ部材２１０と支持部材２２０はそれぞれ、例えば布やシリコーンを含む多数の材料のうちの１つ又はそれより多くから作られることができる。
【００３１】
図３Ｂは、着用者に装着されたときのデバイス２００の正面図を示す。支持部材２２０は着用者の胸の下面に沿って位置し、その一方でカップ部材２１０は胸の正面に沿って配置される。カップ部材２１０と支持部材２２０は両方とも装着前はほぼ平坦であるが、装着時にはそれぞれ着用者の胸の形状にならう。示されるように、カップ部材２１０は装着されると支持部材２２０を部分的に又は完全に被覆することができる。
【００３２】
図３Ｃは、カップ部材２１０と支持部材２２０をつなぐ任意のメッシュ部材２４０を有するデバイス２００を示す。メッシュ部材２４０は、カップ部材２１０や支持部材２２０と同じ材料から作られてもよいし、異なる材料から作られてもよい。
【００３３】
図３Ｄは、第１の支持部材２２０とこの第１の支持部材の下に位置する第２の支持部材２２２を有するデバイス２００を示し、各支持部材はカップ部材２１０の下に位置する。第１の支持部材と第２の支持部材は同じ材料から作られてもよいし、異なる材料から作られてもよい。
【００３４】
図３Ｅは、第１の支持部材２２０と第２の支持部材２２２それぞれにおいて任意で丸みを帯びた端部２２０ａ、２２０ｂ、２２２ａ、２２２ｂを有する図３Ｄのデバイス２００を示す。第１の支持部材２２０と第２の支持部材２２２の各端部は丸みを帯びた形状で示されているが、いずれかの支持部材又は両方の支持部材の一端が丸みを帯びていて他端が角ばっているものも本発明の範囲内であることを理解されたい。
【００３５】
図３Ｆは、着用者（仮想線で示す）に装着したときのデバイス２００の部分分解側面図を示す。着用者の胸それぞれに１つずつで２つのカップ部材２１０Ｌ、２１０Ｒが設けられている。着用者の右胸に装着される前の右側カップ部材２１０Ｒと右側支持部材２２０Ｒが示されている。右側支持部材２２０Ｒは着用者の右胸の下面に装着され、右側カップ部材２１０Ｒは着用者の右胸の正面に装着される。左側カップ部材２１０Ｌが着用者の左胸に装着されている状態が示されている。装着されると、左側カップ部材２１０Ｌは左側支持部材（図示せず）を被覆し、左側支持部材は着用者の左胸の下面に装着されている。当然ながら、左側カップ部材２１０Ｌ又はあらゆる他のカップ部材が、例えば着用者の胸のサイズ及び／又はカップ部材と支持部材の特定の装着位置に応じて同様に支持部材の一部のみを被覆してもよいし、支持部材を被覆しなくてもよいことを理解されたい。
【００３６】
図４Ａ−Ｈを参照すると、カップ部材３１０が半円形のデバイス３００の種々の実施形態が示されており、カップ部材３１０はほぼＵ字形で、その上部分にはほぼ平行な対向する辺がある。図４Ａは、半円形カップ部材３１０と支持部材３２０を備えるデバイス３００の正面図を示す。カップ部材３１０と支持部材３２０はそれぞれ、例えば布やシリコーンを含む多数の材料のうちの１つ又はそれより多くから作られることができる。
【００３７】
図４Ｂは、着用者に装着されたときのデバイス３００の正面図を示す。支持部材３２０は着用者の胸の下面に沿って位置し、その一方でカップ部材３１０は胸の正面に沿って配置される。カップ部材３１０と支持部材３２０は両方とも装着前はほぼ平坦であるが、装着時にはそれぞれ着用者の胸の形状にならう。示されるように、カップ部材３１０は装着されると支持部材３２０を部分的に又は完全に被覆することができる。
【００３８】
図４Ｃは、カップ部材３１０と支持部材３２０をつなぐ任意のメッシュ部材３４０を有するデバイス３００を示す。このメッシュ部材３４０は、カップ部材３１０や支持部材３２０と同じ材料から作られてもよいし、異なる材料から作られてもよい。
【００３９】
図４Ｄは、第１の支持部材３２０とこの第１の支持部材の下に位置する第２の支持部材３２２を有するデバイス３００を示し、各支持部材はカップ部材３１０の下に位置する。第１の支持部材と第２の支持部材は同じ材料から作られてもよいし、異なる材料から作られてもよい。
【００４０】
図４Ｅは、第１の支持部材３２０と第２の支持部材３２２それぞれにおいて任意で丸みを帯びた端部３２０ａ、３２０ｂ、３２２ａ、３２２ｂを有する図４Ｄのデバイス３００を示す。第１の支持部材３２０と第２の支持部材３２２の各端部は丸みを帯びた形状で示されているが、いずれかの支持部材又は両方の支持部材の一端が丸みを帯びていて他端が角ばっているものも本発明の範囲内であることを理解されたい。
【００４１】
図４Ｆは、カップ部材３１０がさらにアンダーワイヤー３５０を備える、図４Ａのデバイス３００を示す。このような実施形態は、例えば着用者が、支持部材３２０によってもたらされる以上に、胸が上方へ支持されることを要求する場合に好ましい。
【００４２】
図４Ｇは、着用者に装着されたときのデバイス３００の正面図を示す。支持部材３２０は着用者の胸の下面に沿って位置し、その一方でアンダーワイヤー３５０を含むカップ部材３１０は胸の正面に沿って配置される。カップ部材３１０と支持部材３２０は両方とも装着前はほぼ平坦であるが、装着時にはそれぞれ着用者の胸の形状にならう。示されるように、カップ部材３１０は装着されると支持部材３２０を部分的に又は完全に被覆することができる。
【００４３】
図４Ｈは、着用者（仮想線で示す）に装着したときのデバイス３００の部分分解側面図を示す。着用者の胸それぞれに１つずつで２つのカップ部材３１０Ｌ、３１０Ｒが設けられている。着用者の右胸に装着される前の右側カップ部材３１０Ｒと右側支持部材３２０Ｒが示されている。右側支持部材３２０Ｒは着用者の右胸の下面に装着され、右側カップ部材３１０Ｒは着用者の右胸の正面に装着される。左側カップ部材３１０Ｌが着用者の左胸に装着されている状態が示されている。装着されると、左側カップ部材３１０Ｌは左側支持部材（図示せず）を被覆し、左側支持部材は着用者の左胸の下面に装着されている。当然ながら、左側カップ部材３１０Ｌ又はあらゆる他のカップ部材が、例えば着用者の胸のサイズ及び／又はカップ部材と支持部材の特定の装着位置に応じて同様に支持部材の一部のみを被覆してもよいし、支持部材を被覆しなくてもよいことを理解されたい。
【００４４】
図５Ａ−Ｇを参照すると、カップ部材４１０が部分半円形で、着用者の胸を持ち上げて中央の位置へ移動させることで胸の谷間を作るようにデザインされているデバイス４００の種々の実施形態が示されている。図５Ａは、部分半円形カップ部材４１０と支持部材４２０を備えるデバイス４００の正面図を示す。カップ部材４１０と支持部材４２０はそれぞれ、例えば布やシリコーンを含む多数の材料のうちの１つ又はそれより多くから作られることができる。
【００４５】
図５Ｂは、着用者に装着されたときのデバイス４００の正面図を示す。支持部材４２０は着用者の胸の下面に沿って位置し、その一方でカップ部材４１０は胸の正面に沿って配置される。カップ部材４１０と支持部材４２０は両方とも装着前はほぼ平坦であるが、装着時にはそれぞれ着用者の胸の形状にならう。示されるように、カップ部材４１０は装着されると支持部材４２０を部分的に又は完全に被覆することができる。
【００４６】
図５Ｃは、カップ部材４１０と支持部材４２０をつなぐ任意のメッシュ部材４４０を有するデバイス４００を示す。メッシュ部材４４０は、カップ部材４１０や支持部材４２０と同じ材料から作られてもよいし、異なる材料から作られてもよい。
【００４７】
図５Ｄは、第１の支持部材４２０とこの第１の支持部材の下に位置する第２の支持部材４２２を有するデバイス４００を示し、各支持部材はカップ部材４１０の下に位置する。第１の支持部材と第２の支持部材は同じ材料から作られてもよいし、異なる材料から作られてもよい。
【００４８】
図５Ｅは、第１の支持部材４２０と第２の支持部材４２２それぞれにおいて任意で丸みを帯びた端部４２０ａ、４２０ｂ、４２２ａ、４２２ｂを有する図５Ｄのデバイス４００を示す。第１の支持部材４２０と第２の支持部材４２２の各端部は丸みを帯びた形状で示されているが、いずれかの支持部材又は両方の支持部材の一端が丸みを帯びていて他端が角ばっているものも本発明の範囲内であることを理解されたい。
【００４９】
図５Ｆは、１対のカップ部材４１０Ｒ、４１０Ｌと、支持部材４２０Ｒ、４２０Ｌと、各カップ部材４１０Ｒ、４１０Ｌの側面上又はこれに隣接して配置される任意のタブ部材４６０Ｒ、４６０Ｌを備えるデバイス４００を示す。即ち、タブ部材４６０Ｒ、４６０Ｌは当業界で知られているあらゆる手段によってカップ部材４１０Ｒ、４１０Ｌに装着されてもよいし、別個の部材としてカップ部材４１０Ｒ、４１０Ｌに隣接する領域に取り付けられてもよい。タブ部材４６０Ｒ、４６０Ｌは、カップ部材４１０Ｒ、４１０Ｌを着用者の体の側部にさらに固定することによって、着用者の胸をさらに支持する。したがって、上述したような接着剤をタブ部材４６０Ｒ、４６０Ｌの一部又は内面全体に施すことができる。タブ部材４６０Ｒ、４６０Ｌは、カップ部材４１０Ｒ、４１０Ｌや支持部材４２０Ｒ、４２０Ｌと同じ材料から作られてもよいし、異なる材料から作られてもよい。
【００５０】
図５Ｇは、着用者（仮想線で示す）に装着したときのデバイス４００の部分分解側面図を示す。着用者の胸それぞれに１つずつで２つのカップ部材４１０Ｌ、４１０Ｒが設けられている。着用者の右胸に装着される前の右側カップ部材４１０Ｒと右側支持部材４２０Ｒが示されている。右側支持部材４２０Ｒは着用者の右胸の下面に装着され、右側カップ部材４１０Ｒは着用者の右胸の正面に装着される。左側カップ部材４１０Ｌが着用者の左胸に装着されている状態が示されている。装着されると、左側カップ部材４１０Ｌは左側支持部材（図示せず）を被覆し、左側支持部材は着用者の左胸の下面に装着されている。当然ながら、左側カップ部材４１０Ｌ又はあらゆる他のカップ部材が、例えば着用者の胸のサイズ及び／又はカップ部材と支持部材の特定の装着位置に応じて同様に支持部材の一部のみを被覆してもよいし、支持部材を被覆しなくてもよいことを理解されたい。
【００５１】
上に概略を説明した特定の実施形態に関連して本発明を説明してきたが、多くの代替、修正、変形例が当業者には明らかなことは歴然としている。したがって、上述したような本発明の実施形態は限定のためではなく例示のためのものであることが意図される。以下の特許請求の範囲で定義するような本発明の趣旨及び範囲から逸脱しない中で、種々の変更がなされ得る。
【図面の簡単な説明】
【００５２】
【図１Ａ】円形カップを有する本発明のマルチピースブラジャーの実施形態とその状態を示す図である。
【図１Ｂ】円形カップを有する本発明のマルチピースブラジャーの実施形態とその状態を示す図である。
【図１Ｃ】円形カップを有する本発明のマルチピースブラジャーの実施形態とその状態を示す図である。
【図１Ｄ】円形カップを有する本発明のマルチピースブラジャーの実施形態とその状態を示す図である。
【図１Ｅ】円形カップを有する本発明のマルチピースブラジャーの実施形態とその状態を示す図である。
【図１Ｆ】円形カップを有する本発明のマルチピースブラジャーの実施形態とその状態を示す図である。
【図１Ｇ】円形カップを有する本発明のマルチピースブラジャーの実施形態とその状態を示す図である。
【図１Ｈ】円形カップを有する本発明のマルチピースブラジャーの実施形態とその状態を示す図である。
【図１Ｉ】円形カップを有する本発明のマルチピースブラジャーの実施形態とその状態を示す図である。
【図２Ａ】長円形カップを有する本発明のマルチピースブラジャーの実施形態とその状態を示す図である。
【図２Ｂ】長円形カップを有する本発明のマルチピースブラジャーの実施形態とその状態を示す図である。
【図２Ｃ】長円形カップを有する本発明のマルチピースブラジャーの実施形態とその状態を示す図である。
【図２Ｄ】長円形カップを有する本発明のマルチピースブラジャーの実施形態とその状態を示す図である。
【図２Ｅ】長円形カップを有する本発明のマルチピースブラジャーの実施形態とその状態を示す図である。
【図２Ｆ】長円形カップを有する本発明のマルチピースブラジャーの実施形態とその状態を示す図である。
【図３Ａ】目の形のカップを有する本発明のマルチピースブラジャーの実施形態とその状態を示す図である。
【図３Ｂ】目の形のカップを有する本発明のマルチピースブラジャーの実施形態とその状態を示す図である。
【図３Ｃ】目の形のカップを有する本発明のマルチピースブラジャーの実施形態とその状態を示す図である。
【図３Ｄ】目の形のカップを有する本発明のマルチピースブラジャーの実施形態とその状態を示す図である。
【図３Ｅ】目の形のカップを有する本発明のマルチピースブラジャーの実施形態とその状態を示す図である。
【図３Ｆ】目の形のカップを有する本発明のマルチピースブラジャーの実施形態とその状態を示す図である。
【図４Ａ】半円形カップを有する本発明のマルチピースブラジャーの実施形態とその状態を示す図である。
【図４Ｂ】半円形カップを有する本発明のマルチピースブラジャーの実施形態とその状態を示す図である。
【図４Ｃ】半円形カップを有する本発明のマルチピースブラジャーの実施形態とその状態を示す図である。
【図４Ｄ】半円形カップを有する本発明のマルチピースブラジャーの実施形態とその状態を示す図である。
【図４Ｅ】半円形カップを有する本発明のマルチピースブラジャーの実施形態とその状態を示す図である。
【図４Ｆ】半円形カップを有する本発明のマルチピースブラジャーの実施形態とその状態を示す図である。
【図４Ｇ】半円形カップを有する本発明のマルチピースブラジャーの実施形態とその状態を示す図である。
【図４Ｈ】半円形カップを有する本発明のマルチピースブラジャーの実施形態とその状態を示す図である。
【図５Ａ】部分半円形プッシュアップカップを有する本発明のマルチピースブラジャーの実施形態とその状態を示す図である。
【図５Ｂ】部分半円形プッシュアップカップを有する本発明のマルチピースブラジャーの実施形態とその状態を示す図である。
【図５Ｃ】部分半円形プッシュアップカップを有する本発明のマルチピースブラジャーの実施形態とその状態を示す図である。
【図５Ｄ】部分半円形プッシュアップカップを有する本発明のマルチピースブラジャーの実施形態とその状態を示す図である。
【図５Ｅ】部分半円形プッシュアップカップを有する本発明のマルチピースブラジャーの実施形態とその状態を示す図である。
【図５Ｆ】部分半円形プッシュアップカップを有する本発明のマルチピースブラジャーの実施形態とその状態を示す図である。
【図５Ｇ】部分半円形プッシュアップカップを有する本発明のマルチピースブラジャーの実施形態とその状態を示す図である。
【図１Ａ】
2007505233.tif 000003
【図１Ｂ】
2007505233.tif 000004
【図１Ｃ】
2007505233.tif 000005
【図１Ｄ】
2007505233.tif 000006
【図１Ｅ】
2007505233.tif 000007
【図１Ｆ】
2007505233.tif 000008
【図１Ｇ】
2007505233.tif 000009
【図１Ｈ】
2007505233.tif 000010
【図１Ｉ】
2007505233.tif 000011
【図２Ａ】
2007505233.tif 000012
【図２Ｂ】
2007505233.tif 000013
【図２Ｃ】
2007505233.tif 000014
【図２Ｄ】
2007505233.tif 000015
【図２Ｅ】
2007505233.tif 000016
【図２Ｆ】
2007505233.tif 000017
【図３Ａ】
2007505233.tif 000018
【図３Ｂ】
2007505233.tif 000019
【図３Ｃ】
2007505233.tif 000020
【図３Ｄ】
2007505233.tif 000021
【図３Ｅ】
2007505233.tif 000022
【図３Ｆ】
2007505233.tif 000023
【図４Ａ】
2007505233.tif 000024
【図４Ｂ】
2007505233.tif 000025
【図４Ｃ】
2007505233.tif 000026
【図４Ｄ】
2007505233.tif 000027
【図４Ｅ】
2007505233.tif 000028
【図４Ｆ】
2007505233.tif 000029
【図４Ｇ】
2007505233.tif 000030
【図４Ｈ】
2007505233.tif 000031
【図５Ａ】
2007505233.tif 000032
【図５Ｂ】
2007505233.tif 000033
【図５Ｃ】
2007505233.tif 000034
【図５Ｄ】
2007505233.tif 000035
【図５Ｅ】
2007505233.tif 000036
【図５Ｆ】
2007505233.tif 000037
【図５Ｇ】
2007505233.tif 000038
【国際調査報告】
2007505233.tif 000039